(57)【要約】【課題】  遠隔にある計測対象物の異常発生時の状況に的確に対応することのできる管理システムを提供する。【解決手段】  異常が発生すると、センサ１でのセンシングデータはメールに添付されて、無線通信網およびインターネット網を介してメール通知器２からメールサーバ４に送られ、社内メールサーバ６で受信される。管理システム７は、定期的に社内メールサーバ６にメールの受信を確認し、メールに添付されたセンシングデータを取得し、グラフを作成する。そして、グラフをＷＥＢサーバ５にアップデートし、異常の発生と該グラフを閲覧できるＵＲＬとを含む異常メールをメンテナンス担当者の携帯する携帯端末９に送信する。このため、メンテナンス担当者は、携帯端末９を用いてＵＲＬにアクセスし、異常状況をグラフで確認することができる。【選択図】        図１
2005215731.tif 000002
【特許請求の範囲】
【請求項１】
センサからセンシングデータを取得するセンシングデータ取得手段と、
イベントの発生を検出するイベント検出手段と、
前記センシングデータから、出力用のデータを作成するデータ作成手段と、
前記イベント検出手段において所定のイベントが検出されると、前記作成された出力用のデータを通信装置に対して出力するデータ出力手段とを備える、通知装置。
【請求項２】
前記データ作成手段は、前記検出された所定のイベントに応じた本文情報と、前記本文情報に添付する前記センシングデータに基づいた添付データとを含む出力用のデータを作成する、請求項１に記載の通知装置。
【請求項３】
前記所定のイベントは、異常の発生である、請求項１または２に記載の通知装置。
【請求項４】
前記センサを制御するための制御信号を他の装置から取得する制御信号取得手段と、
前記取得した制御信号に基づいて、前記センサの設定を行なう設定手段とをさらに備える、請求項１〜３のいずれかに記載の通知装置。
【請求項５】
イベントの発生を通知する本文情報と、センシングデータが得られる添付データとを含む情報を取得する情報取得手段と、
前記添付データから得られるセンシングデータを記憶する記憶手段と、
前記本文情報に基づいて異常の発生を判定する異常判定手段と、
前記異常判定手段において異常の発生が判定された場合に、前記記憶手段に記憶されている所定の範囲のセンシングデータからグラフを作成するグラフ作成手段と、
前記作成されたグラフを、第１の装置に出力して格納するグラフ出力手段と、
異常の発生を通知する情報と、前記第１の装置へのアクセス情報とを含むメールを作成するメール作成手段と、
前記メールを第２の装置へ出力するメール出力手段とを備える、管理装置。
【請求項６】
前記第２の装置は携帯端末であって、
前記作成されたグラフを、端末装置に対応した形態に変換する変換手段をさらに備える、請求項５に記載の管理装置。
【請求項７】
前記情報は、前記イベントが発生した場所または前記センシングデータをセンシングしたセンサを特定する特定情報を含み、
前記記憶手段は、前記特定情報に基づいて所定の領域に前記センシングデータを記憶する、請求項５または６に記載の管理装置。
【請求項８】
前記記憶手段は、前記特定情報と前記第２の装置とを対応付けるテーブルを記憶し、
前記メール出力手段は、前記テーブルに基づいて前記第２の装置へ前記メールを出力する、請求項７に記載の管理装置。
【請求項９】
通知装置と管理装置とを含んで構成される管理システムであって、
前記通知装置は、
センサからセンシングデータを取得するセンシングデータ取得手段と、
イベントの発生を検出するイベント検出手段と、
前記検出されたイベントに応じた本文情報と、前記本文情報に添付する前記センシングデータに基づいた添付データとを含む出力用のデータを作成するデータ作成手段と、
前記イベント検出手段において所定のイベントが検出されると、前記作成された出力用のデータを通信装置に対して出力するデータ出力手段とを備え、
前記管理装置は、
前記出力用のデータを取得する情報取得手段と、
前記添付データから得られるセンシングデータを記憶する記憶手段と、
前記本文情報に基づいて異常の発生を判定する異常判定手段と、
前記異常判定手段において異常の発生が判定された場合に、前記記憶手段に記憶されている所定の範囲のセンシングデータからグラフを作成するグラフ作成手段と、
前記作成されたグラフを、第１の装置に出力して格納するグラフ出力手段と、
異常の発生を通知する情報と、前記第１の装置へのアクセス情報とを含むメールを作成するメール作成手段と、
前記メールを第２の装置へ出力するメール出力手段とを備える、管理システム。
【請求項１０】
前記第２の装置は携帯端末であって、
前記管理装置は、前記作成されたグラフを、端末装置に対応した形態に変換する変換手段をさらに備える、請求項９に記載の管理システム。
【請求項１１】
前記データ作成手段は、前記イベントが発生した場所または前記センシングデータをセンシングしたセンサを特定する特定情報をさらに含む出力用のデータを作成し、
前記記憶手段は、前記特定情報に基づいて所定の領域に前記センシングデータを記憶する、請求項９または１０に記載の管理システム。
【請求項１２】
前記記憶手段は、前記特定情報と前記第２の装置とを対応付けるテーブルを記憶し、
前記メール出力手段は、前記テーブルに基づいて前記第２の装置へ前記メールを出力する、請求項１１に記載の管理システム。
【請求項１３】
コンピュータにセンシングデータの通知処理を実行させるプログラムであって、
センサから前記センシングデータを取得するセンシングデータ取得ステップと、
イベントの発生を検出するイベント検出ステップと、
前記センシングデータから、出力用のデータを作成するデータ作成ステップと、
前記イベント検出ステップにおいて所定のイベントが検出されると、前記作成された出力用のデータを通信装置に対して出力するデータ出力ステップとを実行させる、センシングデータ通知プログラム。
【請求項１４】
コンピュータにセンシングデータの管理処理を実行させるプログラムであって、
イベントの発生を通知する本文情報と、前記センシングデータが得られる添付データとを含む情報を取得する情報取得ステップと、
前記添付データから得られるセンシングデータを記憶装置に格納する格納ステップと、
前記本文情報に基づいて異常の発生を判定する異常判定ステップと、
前記異常判定ステップにおいて異常の発生が判定された場合に、前記記憶装置に格納されている所定の範囲のセンシングデータからグラフを作成するグラフ作成ステップと、
前記作成されたグラフを、第１の装置に出力して格納するグラフ出力ステップと、
異常の発生を通知する情報と、前記第１の装置へのアクセス情報とを含むメールを作成するメール作成ステップと、
前記メールを第２の装置へ出力するメール出力ステップとを実行させる、センシングデータ管理プログラム。
【発明の詳細な説明】
【技術分野】
【０００１】
この発明は通知装置、管理装置、管理システム、センシングデータ通知プログラム、およびセンシングデータ管理プログラムに関し、特に、遠隔にある計測対象物の異常発生時の状況に的確に対応することのできる通知装置、管理装置、管理システム、センシングデータ通知プログラム、およびセンシングデータ管理プログラムに関する。
【背景技術】
【０００２】
現在、遠隔地にある貯蔵タンクや溜池やダムや河川などの異常レベルの検出や、および補給メンテナンス等を提供している顧客の貯蔵タンクなどの残量の確認などのために、携帯電話の電子メール機能を利用して、異常発生時にその異常状態を通知するシステムが提案されている。
【０００３】
具体的には、下水（マンホール）や溜池やダムや河川などの異常水位を監視したり、レストラン・チェーン店などの食用油の補給管理を行なったり、ビニルハウスなどの温度監視と共に暖房用の灯油の補給管理を行なったり、土木事業におけるセメント補給の管理を行なったりするシステムがある。このようなシステムにおいては、レベル計が応用されて、タンク内の計測対象物の表面位置（水位）が計測される。たとえば、特許文献１は、センシングデータから監視対象物の状態を示すテキストデータを選択・生成して、電子メールとしてメールサーバに送信する、遠隔監視制御システムを開示している。
【０００４】
このようなシステムにおいては、レベル計などから出力される信号に基づいて、あるしきい値との相対関係によって異常の発生を検出して、その異常状態により予め定められた文言を電子メールとして送信し、受信者は該電子メールの文言のみの情報にしたがって対処すべき行動を起こしている。
【０００５】
このようなレベル計を応用したシステムによって、遠隔地に点在しているタンク内の量を定期的に確認して残量が把握され、適正な在庫管理を実現している。また、センシングデータを用いることで一元的な在庫管理を実現している。また、異常警報を即座にメンテナンス担当者に通知することができ、的確で素早いメンテナンスを実現している。さらに、集中管理によってメンテナンスに要する人員を削減でき、能力の統一化ができる。その結果、コストの削減につながり、均一なサービスの提供を実現している。
【特許文献１】特開２００２−１０１４７３号公報
【発明の開示】
【発明が解決しようとする課題】
【０００６】
しかしながら、このようなシステムにおいては、「しきい値より上がったか（または下がったか）」つまりデジタル的なオン／オフの状態のみが通知され、メンテナンス担当者は、どのような状況によって異常状態が発生したのかが理解できないという問題があった。このため、すべての異常状態に対応した準備を予めしておくか、現場に異常状態を確認した後に準備を行なうかする必要があり、素早く適切な対応ができない場合もあるという問題があった。
【０００７】
また、異常が発生した場合、その記録を保管し、その運転記録やメンテナンス記録を残す必要がある場合がある。この場合、異常の発生の通知先として、メンテナンス担当者だけでなく、管理事務所など複数箇所を電子メールの送信先に指定し、管理事務所の電子メール記録によって対応することができる。しかしながら、管理事務所への日々の電子メールは、異常の発生を通知する電子メール以外にも数多く届き、電子メールを分類する作業が煩雑化してしまうという問題もあった。
【０００８】
また、このようなシステムにおいて、遠隔地のセンシングデータを必要時に確認するためには、ダイヤルアップ機能でインターネットに接続される環境ではなく、常時回線に接続された環境が必要となり、多くの初期投資費用や設備維持費が必要となるという問題もあった。また、アプリケーションサービスプロバイダを利用することにより必要な情報を入手する方法もあるが、各ユーザの利用体系に個別に対応したサービスを構築するのが難しい場合があるという問題もあった。
【０００９】
本発明はこのような問題に鑑みてなされたものであって、電子メール機能やＷＥＢ機能を利用して、遠隔にある計測対象物の異常発生時の状況に的確に対応することのできる通知装置、管理装置、管理システム、センシングデータ通知プログラム、およびセンシングデータ管理プログラムを提供することを目的とする。
【課題を解決するための手段】
【００１０】
上記目的を達成するために、本発明のある局面に従うと、通知装置は、センサからセンシングデータを取得するセンシングデータ取得手段と、イベントの発生を検出するイベント検出手段と、センシングデータから、出力用のデータを作成するデータ作成手段と、イベント検出手段において所定のイベントが検出されると、作成された出力用のデータを通信装置に対して出力するデータ出力手段とを備える。
【００１１】
また、データ作成手段は、検出された所定のイベントに応じた本文情報と、本文情報に添付するセンシングデータに基づいた添付データとを含む出力用のデータを作成することが好ましい。
【００１２】
また、所定のイベントは、異常の発生であることが好ましい。
【００１３】
また、通知装置は、センサを制御するための制御信号を他の装置から取得する制御信号取得手段と、取得した制御信号に基づいて、センサの設定を行なう設定手段とをさらに備えることが好ましい。
【００１４】
本発明の他の局面に従うと、管理装置は、イベントの発生を通知する本文情報と、センシングデータが得られる添付データとを含む情報を取得する情報取得手段と、添付データから得られるセンシングデータを記憶する記憶手段と、本文情報に基づいて異常の発生を判定する異常判定手段と、異常判定手段において異常の発生が判定された場合に、記憶手段に記憶されている所定の範囲のセンシングデータからグラフを作成するグラフ作成手段と、作成されたグラフを、第１の装置に出力して格納するグラフ出力手段と、異常の発生を通知する情報と、第１の装置へのアクセス情報とを含むメールを作成するメール作成手段と、メールを第２の装置へ出力するメール出力手段とを備える。
【００１５】
また、第２の装置は携帯端末であって、管理装置は、作成されたグラフを、端末装置に対応した形態に変換する変換手段をさらに備えることが好ましい。
【００１６】
また、情報は、イベントが発生した場所またはセンシングデータをセンシングしたセンサを特定する特定情報を含み、記憶手段は、特定情報に基づいて所定の領域にセンシングデータを記憶することが好ましい。
【００１７】
さらに、記憶手段は、特定情報と第２の装置とを対応付けるテーブルを記憶し、メール出力手段は、テーブルに基づいて前記第２の装置へメールを出力することが好ましい。
【００１８】
本発明のさらに他の局面に従うと、管理システムは、通知装置と管理装置とを含んで構成される管理システムであって、通知装置は、センサからセンシングデータを取得するセンシングデータ取得手段と、イベントの発生を検出するイベント検出手段と、検出されたイベントに応じた本文情報と、本文情報に添付するセンシングデータに基づいた添付データとを含む出力用のデータを作成するデータ作成手段と、イベント検出手段において所定のイベントが検出されると、作成された出力用のデータを通信装置に対して出力するデータ出力手段とを備え、管理装置は、出力用のデータを取得する情報取得手段と、添付データから得られるセンシングデータを記憶する記憶手段と、本文情報に基づいて異常の発生を判定する異常判定手段と、異常判定手段において異常の発生が判定された場合に、記憶手段に記憶されている所定の範囲のセンシングデータからグラフを作成するグラフ作成手段と、作成されたグラフを、第１の装置に出力して格納するグラフ出力手段と、異常の発生を通知する情報と、第１の装置へのアクセス情報とを含むメールを作成するメール作成手段と、メールを第２の装置へ出力するメール出力手段とを備える。
【００１９】
また、第２の装置は携帯端末であって、管理装置は、作成されたグラフを、端末装置に対応した形態に変換する変換手段をさらに備えることが好ましい。
【００２０】
また、データ作成手段は、イベントが発生した場所またはセンシングデータをセンシングしたセンサを特定する特定情報をさらに含む出力用のデータを作成し、記憶手段は、特定情報に基づいて所定の領域にセンシングデータを記憶することが好ましい。
【００２１】
さらに、記憶手段は、特定情報と第２の装置とを対応付けるテーブルを記憶し、メール出力手段は、テーブルに基づいて第２の装置へメールを出力することが好ましい。
【００２２】
本発明のさらに他の局面に従うと、センシングデータ通知プログラムは、コンピュータにセンシングデータの通知処理を実行させるプログラムであって、センサからセンシングデータを取得するセンシングデータ取得ステップと、イベントの発生を検出するイベント検出ステップと、センシングデータから、出力用のデータを作成するデータ作成ステップと、イベント検出ステップにおいて所定のイベントが検出されると、作成された出力用のデータを通信装置に対して出力するデータ出力ステップとを実行させる。
【００２３】
本発明のさらに他の局面に従うと、センシングデータ管理プログラムは、コンピュータにセンシングデータの管理処理を実行させるプログラムであって、イベントの発生を通知する本文情報と、センシングデータが得られる添付データとを含む情報を取得する情報取得ステップと、添付データから得られるセンシングデータを記憶装置に格納する格納ステップと、本文情報に基づいて異常の発生を判定する異常判定ステップと、異常判定ステップにおいて異常の発生が判定された場合に、記憶装置に格納されている所定の範囲のセンシングデータからグラフを作成するグラフ作成ステップと、作成されたグラフを、第１の装置に出力して格納するグラフ出力ステップと、異常の発生を通知する情報と、第１の装置へのアクセス情報とを含むメールを作成するメール作成ステップと、メールを第２の装置へ出力するメール出力ステップとを実行させる。
【発明を実施するための最良の形態】
【００２４】
以下に、図面を参照しつつ、本発明の実施の形態について説明する。以下の説明では、同一の部品および構成要素には同一の符号を付してある。それらの名称および機能も同じである。したがってそれらについての詳細な説明は繰返さない。
【００２５】
［第１の実施の形態］
図１は、第１の実施の形態にかかる遠隔監視システムの構成の具体例を示す図である。図１に示される本実施の形態にかかる遠隔監視システムは、レベル計を応用したセンサ１を用いて、遠隔に点在する顧客への消耗品の補充管理およびメンテナンスの効率化を提供する業務において用いられるシステムである。
【００２６】
図１を参照して、本実施の形態にかかる遠隔監視システムは、センサ１と、通知装置であるメール通知器２と、無線通信網を介してメールサーバ４に送信するための通信装置である通信機３と、センシングデータに基づいたセンシングデータグラフを記憶するＷＥＢサーバ５と、かかる業務を行なう会社においてメールサーバ４からメールを受信するための社内メールサーバ６と、管理システム７と、社内端末８と、かかる業務を行なう作業者が携帯する携帯端末９とを含んで構成される。
【００２７】
センサ１とメール通知器２と通信機３とは、専用の回線を介した通信や無線通信などを行なう。また、通信機３とメールサーバ４とは、携帯電話網などの無線通信網、およびインターネット網を介して通信を行なう。また、社内メールサーバ６と管理システム７と社内端末８とは、ＬＡＮ（Local Area Network）等の専用回線を介した通信や無線通信などを行なう。また、メールサーバ４とＷＥＢサーバ５と社内メールサーバ６と携帯端末９とは、専用の回線を介した通信や無線通信やインターネット網を介して通信を行なう。
【００２８】
図２に、上述のセンサ１の機能構成の具体例をブロック図で示す。図２に示されるセンサ１は、レベル計を応用してタンク内の計測対象物の残量を計測するセンサである。
【００２９】
図２を参照して、共振部１０１は、電極体により形成される容量成分Ｃｘと共振トランスＬとの並列回路から構成される。共振トランスＬは１次コイルのインダクタンス成分Ｌａと２次コイルのインダクタンス成分Ｌｂとを含む。
【００３０】
変換部１０２は、共振部１０１の共振トランスＬの２次コイルＬｂの出力を次段に適する信号に変換し、位相比較部１０３の第１の入力端に渡す。位相比較部１０３は、共振部１０１からの出力信号と基準信号との位相を比較し、位相差に応じた位相差信号を制御部１０４と状態判別部１０８とに渡す。制御部１０４は、位相比較部１０３から渡された位相差信号に応じて、共振部１０１の出力信号と共振信号との位相差をなくすように、制御信号を可変周波数発生部１０５と検出部１０７とに渡す。
【００３１】
可変周波数発生部１０５は、制御部１０４から渡された制御信号に応じた発振周波数の発振信号を発生し、基準信号として位相比較部１０３と駆動部１０６とに渡す。駆動部１０６は、可変周波数発生部１０５から渡された発振信号により、共振部１０１を駆動する。
【００３２】
状態判別部１０８は、位相比較部１０３の第２の入力端から渡される位相差信号に基づいて、共振部１０１の共振周波数と可変周波数発生部１０５の発振周波数との間の位相差の有無を判別し、位相差が生じた場合に、その判別信号を位相比較部１０３の第２の入力端と検出部１０７とに渡す。また、検出部１０７には基準設定部１０９から基準値が渡される。検出部１０７は、制御部１０４から渡された制御信号と基準設定部１０９によって設定された基準値とを比較して、検出信号を出力部１１１に渡す。出力部１１１は、検出部１０７から渡された検出信号に応じて、センシング信号をメール通知器２に対して出力する。
【００３３】
次に、図３に、上述のメール通知器２のハードウェア構成の具体例をブロック図で示す。
【００３４】
図３を参照して、メール通知器２は、ＣＰＵ（Central Processing Unit）２０１によって全体が制御され、計時専用のチップであるＲＴＣ（Real Time Clock）２０２が接続されて、時刻情報を得る。ＣＰＵ２０１で実行されるプログラムやセンサ１から渡されたセンシングデータは、ＥＥＰ−ＲＯＭ（Electronically Erasable and Programmable Read Only Memory）２０４や、Ｆｌａｓｈ−ＲＯＭ（Flash Read Only Memory）２０５や、ＳＤ−ＲＡＭ（Synchronous Dynamic Random Access Memory）２０６や、Ｓ−ＲＡＭ（Static Random Access Memory）２０７に記憶される。また、それらの記憶装置は、ＣＰＵでプログラムを実行する際の作業領域ともなる。また、Ｓ−ＲＡＭ２０７はバッテリ２０８に接続されて、電力の供給を受ける。
【００３５】
センサ１からのセンシングデータは、無電圧接点入力部２０９やアナログ入力部２１０やシリアル通信部２１１で受信されて、ＣＰＵ２０１に供給される。そして、センシングデータはＣＰＵ２０１によって発振器２０３に供給されて、出力データに転換される。さらに、出力データは、ＣＰＵ２０１によってシリアル通信部２１１に供給されて、通信機３に出力される。
【００３６】
図３に示される各部は、商用電源やバッテリから電力の供給を受けた電源部２１２において、電力の供給を受ける。
【００３７】
次に、図４に、メール通知器２の機能構成をブロック図で示す。図４を参照して、メール通知器２の機能は、制御部２１と、プログラム記憶部２２と、センシングデータ記憶部２３と、アドレス記憶部２４と、センシングデータ取得部２５と、メール作成部２６と、メール出力部２７と、イベント検出部２０とを含んで構成される。図４に示される各部は、メール通知器２のＣＰＵ２０１がプログラムを実行して図２に示される各部を制御することで発揮される機能である。
【００３８】
制御部２１を構成するＣＰＵ２０１で実行されるプログラムはプログラム記憶部２２に記憶されており、制御部２１は、かかるプログラムにしたがってメール通知器２の各部に制御信号を出力し、機能全体を制御する。
【００３９】
センシングデータ記憶部２３は、センサ１からのセンシングデータを記憶する。また、アドレス記憶部２４は、メールの宛先となる管理システム７のアドレスを記憶する。これらの記憶部は、ＥＥＰ−ＲＯＭ２０４などの記憶装置の所定の記憶領域から構成される。
【００４０】
イベント検出部２０は、所定時間の経過や、異常の発生などのイベントを検出し、検出信号を制御部２１に出力する。制御部２１は、イベント検出部２０から入力された検出信号に基づいて、センシングデータ取得部２５に対して所定のセンシングデータの取得を指示する制御信号と、メール作成部２６に対してメールの作成を指示する制御信号とを出力する。
【００４１】
センシングデータ取得部２５は、制御部２１から入力された制御信号にしたがってセンシングデータ記憶部２３から所定のセンシングデータを取得し、メール作成部２６に渡す。
【００４２】
メール作成部２６は、制御部２１から入力された制御信号にしたがって、センシングデータ取得部２５から渡されたセンシングデータをメールに添付可能なファイル形式のデータに変換する。そして、プログラム記憶部２２などに予め格納されているフォーマット等を用いたメールの本文情報を生成して該センシングデータを添付し、アドレス記憶部２４に記憶された管理システム７のアドレスに宛てたメールを作成する。作成したメールデータはメール出力部２７に渡される。メール出力部２７は、メール作成部２６から渡されたメールをメールサーバ４に対して出力する。
【００４３】
次に、図５に、管理システム７のハードウェア構成の具体例をブロック図で示す。管理システム７は、一般的なコンピュータで構築されてもよく、図５に示されるハードウェア構成は、一般的なコンピュータのハードウェア構成である。したがって、管理システム７のハードウェア構成は、図５に示される構成に限定されない。
【００４４】
図５を参照して、管理システム７は、管理システム７全体を制御するＣＰＵ７０１を含んで構成され、ＣＰＵ７０１で実行されるプログラムは、ＨＤＤ（Hard Disc Drive）７０２やＲＯＭ（Read Only Memory）７０４に記憶される。また、ＲＡＭ（Random Access Memory）７０３は、ＣＰＵ７０１でプログラムを実行する際の作業領域となる。
【００４５】
また、管理システム７は、社内メールサーバ６や携帯端末９などと通信するための通信Ｉ／Ｆ（インタフェース）７０５と、ディスプレイ等の表示装置７０６と、キーボードやマウスなどの入力装置７０７とを含んで構成される。
【００４６】
次に、図６に、管理システム７の機能構成をブロック図で示す。図６を参照して、管理システム７の機能は、制御部７１と、プログラム／アドレス記憶部７２と、センシング記憶部７３と、メールデータ取得部７４と、異常判定部７５と、グラフ作成部７７と、グラフ出力部７６と、メール作成部７９と、メール出力部７８とを含んで構成される。図６に示される各部は、管理システム７のＣＰＵ７０１がプログラムを実行して図５に示される各部を制御することで発揮される機能である。
【００４７】
制御部７１を構成するＣＰＵ７０１で実行されるプログラムと、携帯端末９のアドレスとは、プログラム／アドレス記憶部７２に記憶されており、制御部７１は、かかるプログラムにしたがって管理システム７の各部に制御信号を出力し、機能全体を制御する。
【００４８】
メールデータ取得部７４は、制御部７１からの制御信号にしたがって、社内メールサーバ６からメールデータを取得し、その本文情報を異常判定部７５に渡す。また、メールデータ取得部７４は、該メールに添付されているセンシングデータを分類してセンシングデータ記憶部７３に格納する。
【００４９】
これらのプログラム／アドレス記憶部７２およびセンシングデータ記憶部７３は、ＨＤＤ７０２などの記憶装置の所定の記憶領域から構成される。
【００５０】
異常判定部７５は、メールデータ取得部７４から渡されたメールの本文情報に基づいて、異常の発生の有無を判定する。異常判定部７５において異常の発生が判定された場合には、異常判定部７５は、その旨を示す判定信号を制御部７１に出力する。
【００５１】
制御部７１は、異常判定部７５から入力された異常の発生を示す判定信号を基づいて、グラフの作成を指示する指示信号、およびメールの作成を指示する指示信号を、グラフ作成部７７およびメール作成部７９に対して出力する。
【００５２】
グラフ作成部７７は、制御部７１から入力された指示信号にしたがってセンシングデータ記憶部７３から適当なセンシングデータを取得し、それに基づいてセンシングデータグラフを作成してグラフ出力部７６に渡す。グラフ出力部７６は、グラフ作成部７７から渡されたセンシングデータグラフをＷＥＢサーバ５に送信し、アップデートする。
【００５３】
メール作成部７９は、制御部７１から入力された指示信号にしたがって、アドレス記憶部７３にアドレスが記憶された携帯端末９に対して異常の発生を通知する異常メールを作成し、メールデータをメール出力部７８に渡す。メール出力部７８は、メール作成部７９から渡されたメールを携帯端末９に対して出力する。
【００５４】
なお、本遠隔監視システムに含まれる上述の装置以外の他の装置について、通信機３、メールサーバ４、ＷＥＢサーバ５、社内メールサーバ６、および社内端末８は、通信機能を備える一般的なコンピュータで構築される装置であって、携帯端末９は、携帯電話やＰＤＡ（Personal Digital Assistants）や通信機能を備える小型のコンピュータ等で構築される装置であるため、その構成についてのここでの詳細な説明は行なわない。
【００５５】
次に、図７を用いて、本遠隔監視システムでの処理の流れについて説明する。始めに、センサ１はタンク内の計測対象物の残量を定期的に計測し、センシングデータをメール通知器２に渡す。メール通知器２は、センサ１から渡されたセンシングデータを記憶する。そして、定期的に、センシングデータを定期データとしてメールに添付して、通信機３より無線通信網およびインターネット網を介してメールサーバ４に送信する。また、異常発生時に、所定期間のセンシングデータを異常データとしてメールに添付して、通信機３より無線通信網およびインターネット網を介してメールサーバ４に送信する。メール通知器２よりセンシングデータが添付されたメールを受信したメールサーバ４は、社内メールサーバ６にかかるメールを送信する（Ｓ１）。
【００５６】
管理システム７は、定期的に社内メールサーバ６にメールの受信を確認し、メール通知器２からの異常データが添付されたメールがある場合には自動的に取得し（Ｓ２）、センシングデータグラフと、異常の発生を通知するための異常メールとを生成する。そして、管理システム７は、センシングデータグラフをＷＥＢサーバ５にアップデートし、ＷＥＢサーバ５に記憶されているセンシングデータグラフを更新する（Ｓ３）。また、異常メールを携帯端末９に送信する（Ｓ４）。
【００５７】
携帯端末９を携帯する作業者は、管理システム７から受信した異常メールの内容に応じて携帯端末９を用いてＷＥＢサーバ５にアクセスし、異常発生時のセンシングデータグラフを表示させて（Ｓ５）、確認することができる。
【００５８】
さらに、図８のフローチャートを用いて、メール通知器２における処理を説明する。図８のフローチャートに示される処理は、メール通知器２の制御部２１がプログラム記憶部２２に記憶されるプログラムを実行して図４に示される各部を制御することによって実現される。
【００５９】
図８を参照して、始めに、イベント検出部２０においてイベントの発生が検出される（Ｓ１０１）。ステップＳ１０１においては、ＲＴＣ２０２から得られる計時情報に基づいて所定の時間の経過が検出されてもよいし、センサ１から入力されたセンシングデータに基づいて異常の発生が検出されてもよい。より詳しくは、前者の場合は、定期的な時間間隔でセンシングデータが定期データとして送信される処理が実行される。一方、後者の倍、イベント検出部２０においては、予め記憶部に格納されている所定のしきい値とセンサ１から入力されたセンシングデータとが比較され、センシングデータがしきい値に対して所定の範囲に入っていると判断された場合に異常の発生、つまり計測対象物の残量がしきい値に対して所定の範囲となる減り方をしていることが検出される。
【００６０】
ステップＳ１０１においてこのようなイベントの発生が検出されると、センシングデータ取得部２５においてセンシングデータ記憶部２３に記憶されているセンサ１からのセンシングデータが取得されて（Ｓ１０３）、メール作成部２６において、かかるセンシングデータがメールに添付可能なファイル形式のデータに変換される。また、ステップＳ１０１で検出されたイベントに応じたフォーマットが用いられて、メールの本文情報が作成される。具体的には、検出されたイベントが所定時間の経過ならば定期データの送信である旨を示す本文情報、異常の発生ならば異常時のデータの送信である旨を示す本文情報が作成される。そして、該センシングデータが添付されたメールが作成される（Ｓ１０５）。
【００６１】
ステップＳ１０５で作成されるメールに添付されるセンシングデータの具体例を図９に示す。図９に示されるように、センシングデータは、ＣＳＶ（Comma Separated Values）形式などのファイル形式でメールに添付される。より具体的には、図９を参照して、センシングデータには、計測タイミングである計測時刻と、センサ１からのセンシング信号である４〜２０ｍＡのアナログ信号が物理量に変換された、計測対象物の残量を示すテキストデータである水位データと、特定の入力接点についてのＯＮ時間を示す設定動作時間と、該入力接点における計測値を表わす接点データとが含まれ、それらがカンマおよびスペースで区切られている。
【００６２】
なお、メールに添付されるセンシングデータのデータ形式は、受信側に対して予め規定された書式であれば、図９に示されたようなテキストデータであっても、一般的な圧縮方法を利用した圧縮データであってもバイナリデータであってもよい。
【００６３】
そして作成されたメールは、ステップＳ１０５で通信機３に出力されて、メールサーバ４に対して送信される。
【００６４】
次に、図１０のフローチャートを用いて、管理システム７における処理を説明する。図１０のフローチャートに示される処理は、管理システム７が社内メールサーバ６を介してメール通知器２より送信された異常の発生を通知するメールを受信する際に実行される処理であって、管理システム７の制御部７１がプログラム記憶部７２に記憶されるプログラムを実行して図６に示される各部を制御することによって実現される。
【００６５】
図１０を参照して、管理システム７においては、所定のタイミングで、自動的に社内メールサーバ６に対してメールの受信があるか否かのチェックが行なわれる（Ｓ２０１）。そして、管理システム７宛てのメールの受信がある場合には（Ｓ２０３でＹＥＳ）、メールデータ取得部７４において自動的に取得されて、異常判定部７５において、本文情報に基づいて該メールが異常発生時に送信されたメールであるか否かが判定される（Ｓ２０５）。
【００６６】
ステップＳ２０５での判定の結果、該メールが異常発生時に送信されたメールではなく、所定のタイミングで定期データを送信するメールである場合には（Ｓ２０５でＮＯ）、以降の処理は行なわずに、処理を始めに戻す。
【００６７】
一方、ステップＳ２０５での判定の結果、該メールが異常発生時に送信されたメールであると判定された場合（Ｓ２０５でＹＥＳ）の、ステップＳ２０３で取得されたメールの具体例を図１１に示す。図１１は、メール通知器２で作成されてメールサーバ４を介して送信されるメールを表わしており、具体的には、送信者（ｆｒｏｍ）を表わす項目に計測地点を表わす情報が記載されており、その本文情報に、発生した異常の内容（水位低下）、異常の発生時刻、および発生場所が記載されている。また、そのセンシングデータを取得したセンサ１の機種を特定する情報がさらに含まれていてもよい。
【００６８】
ステップＳ２０３では、この計測地点を表わす情報に基づいて自動的にメールが区分され、センシングデータ記憶部７３内の該当するフォルダなどの所定の記憶領域に、添付されたセンシングデータが区分けされて格納される。このような区分けは、管理システム７が予め計測地点を表わす情報と格納領域との対応を表わしたテーブルを記憶しておき、メールを受信した際にかかるテーブルを参照して添付されたセンシングデータを格納することで実現される。
【００６９】
この場合、グラフ作成部７７においては、センシングデータ記憶部７３から所定の範囲のセンシングデータが取得されて、センシングデータグラフが作成される（Ｓ２０７）。所定の範囲とは、異常の発生時から所定時間以前から異常の発生時までの範囲であることが好ましい。
【００７０】
ステップＳ２０７で作成されるセンシングデータグラフの具体例を図１２に示す。図１２に示される具体例は、図９に示されたセンシングデータのうち、水位データに基づいて作成されたグラフの具体例である。たとえば、異常の発生を検出するしきい値が０．４ｍの水位である場合には、上述のステップＳ１０１でセンシングデータである水位データが０．４ｍを下回ったことが検出された際に、異常を通知するメールがメール通知器２から社内メールサーバ６を介して管理システム７に送信され、その時点から８分前までのセンシングデータを用いてセンシングデータグラフが作成される。
【００７１】
さらに、ステップＳ２０７で作成されたグラフは、携帯端末９で閲覧可能なものとするために画像縮小するといった簡略化処理が施され（Ｓ２０９）、グラフ出力部７６から出力されてＷＥＢサーバ５にアップデートされる（Ｓ２１１）。ステップＳ２１１で送信されたセンシングデータグラフは、図示されないＷＥＢサーバ５に以前に格納されていたセンシングデータグラフに上書きされて更新される。
【００７２】
また、メール作成部７９において、異常の発生と、該ＷＥＢサーバ５へのアクセス情報であるＵＲＬ（Uniform Resource Locators）とを通知するメールが作成されて、携帯端末９に送信される（Ｓ２１３）。ステップＳ２１３では、必要に応じて、ステップＳ２０３で社内メールサーバ６を介してメール通知器２から受信したメールの本文情報を用いて本文情報が作成されてもよい。
【００７３】
さらに、管理システム７のプログラム／アドレス記憶部７２に、センサ１とメンテナンス作業担当者の携帯する携帯端末９との対応がテーブルで記憶されていてもよい。その場合、上述のステップＳ２１３では、該テーブルを参照して、ステップＳ２０１で受信したメールの本文情報に含まれる異常の発生を検出したセンサ１の固有情報に基づいて、該センサ１に対応付けられた携帯端末９に宛てたメールを生成して送信することが好ましい。このようにすることで、より適切な対応が実現される。
【００７４】
ステップＳ２１３で管理システム７から送信されて携帯端末９に表示されるメールの具体例を図１３に示す。図１３に示されるメールは、メール通知器２から図１１に示されるメールを受信した場合に作成されるメールの具体例であって、携帯端末９に送信されるメールの本文情報には、図１１に示されたメール通知器２から受信したメールの本文情報が利用されている。また、ＷＥＢサーバ５のＵＲＬも含まれており、携帯端末９の機種によっては、該ＵＲＬを選択して決定することで、自動的にＷＥＢサーバ５に接続されて図１４に示されるようなセンシングデータグラフが表示される。
【００７５】
本実施の形態にかかる遠隔管理システムにおいて上述の処理が実行されることで、メンテナンス作業担当者は携帯端末９で受信したメールの本文情報から異常が発生した場所や時間や異常の内容などをすばやく把握することができ、さらに、本文情報に含まれるＷＥＢサーバへのアクセス情報に基づいて、ＷＥＢサーバよりより詳細な異常の発生状況を得ることができる。この結果、メンテナンス作業担当者は異常の発生時に、すばやく適切な対処を行なうことが可能になる。
【００７６】
また、言うまでもなく、上述の処理は異常の発生時に限定されず、定期的に取得されるセンシングデータによって自動的に行なわれてもよい。このようにすることで、遠隔地にある計測対象物の通常状態の推移状況も把握することが可能になる。
【００７７】
さらに、本システムは、多大な費用が発生する常時接続回線を利用せずに構築することが可能であるため、システムの構築が容易になる。
【００７８】
［第２の実施の形態］
次に、第２の実施の形態にかかる遠隔制御システムの構成の具体例を図１５に示す。図１５に示される本実施の形態にかかる遠隔制御システムは、レベル計を応用したセンサ１を用いて、遠隔に点在する顧客への消耗品の補充管理およびメンテナンスの効率化を提供すると共に、センサ１の制御を行なう業務において用いられるシステムである。
【００７９】
図１５を参照して、本実施の形態にかかる遠隔制御システムは、センサ１と、データ変換器２と、無線通信網およびインターネット網を介して管理システム７と通信するための通信機３と、管理システム７と、社内端末８と、かかる業務を行なう作業者が携帯する携帯端末９とを含んで構成される。
【００８０】
遠隔制御システムに含まれるセンサ１の構成は、第１の実施の形態にかかる遠隔監視システムに含まれるセンサ１の構成と同様であるため、ここでの説明は繰返さない。
【００８１】
本実施の形態にかかる遠隔制御システムにおいては、管理システム７は専用回線を介してインターネット網に接続されてインターネット網を介して通信を行なう。
【００８２】
データ変換器２のハードウェア構成は、第１の実施の形態にかかるメール通知器２のハードウェア構成と同様であって、その機能構成について図１６に示す。
【００８３】
図１６を参照して、データ変換器２は、図４に示された第１の実施の形態にかかるメール通知器２の機能構成とほぼ同様であって、同様のセンシングデータの送信を行なう。データ変換器２は、メール作成部２６に替えてデータ作成部２６、およびメール出力部２７に替えてデータ出力部２７を含んで構成される。さらに、データ変換器２は、メール通知器２の機能構成に加えて、インターネット網および無線通信網を介して管理システム７から制御信号を取得する制御信号取得部２８と、センサ１の各種設定を行なう設定部２９とを含んで構成される。
【００８４】
本実施の形態にかかる管理システム７もまた、第１の実施の形態にかかる管理システム７と同様のハードウェア構成および機能構成であって、センシングデータに基づいてセンシングデータグラフを作成する。なお、本実施の形態においては、作成されたセンシングデータグラフを当該管理システム７の記憶装置に格納し、携帯端末９に対しては、当該管理システム７の記憶装置に格納されたセンシングデータグラフへのアクセス情報を本文情報に含むメールで異常を通知する。
【００８５】
さらに、本実施の形態にかかる管理システム７は、入力装置７０７や通信Ｉ／Ｆ７０５を介して携帯端末９から設定指示入力を受付けることができる。そして、設定指示入力に基づいた制御信号が通信Ｉ／Ｆ７０５よりインターネット網および無線通信網を介してデータ変換器２に出力される。なお、制御信号は、制御部７１において、取得されたセンシングデータなどに基づいて自動的に生成されてもよい。
【００８６】
制御信号は、具体的には次のようなコマンドを含んで構成される。たとえば、パラメータの確認を実行させるコマンドである「ＤＰ」、パラメータの変更を実行させるコマンドである「ＭＰ［ｎｎ］」、計測値の表示（繰返し計測表示）を実行させるコマンドである「ＰＶ［Ｒ］」、表示テストを実行させるコマンドである「ＬＣｄ」、エラーのリセットを実行させるコマンドである「ＥＲ」、ヘルプメッセージの表示を実行させるコマンドである「ＨＥｌｐ」、パラメータの保管を実行させるコマンドである「ＳＡｖｅ」、および設定モードの終了を実行させるコマンドである「ＥＸｉｔ」などを含んで構成される。
【００８７】
データ変換器２では、管理システム７から入力されるこのような制御信号を制御信号取得部２８で取得し、設定部２９に渡す。設定部２９は、制御信号取得部２８から渡された制御信号に基づいて、センサ１の各種設定を行なう。
【００８８】
本実施の形態にかかる遠隔制御システムが上述の構成であることによって、上述の異常の発生時の対応に加えて、各種パラメータを遠隔にある管理システム７から入力することで、現在のセンサ１の設定内容を確認したり、変更したりすることが可能になる。
【００８９】
さらに、上述の遠隔管理システムおよび遠隔監視システムで実行される遠隔管理方法および遠隔監視方法を、プログラムとして提供することもできる。このようなプログラムは、コンピュータに付属するフレキシブルディスク、ＣＤ−ＲＯＭ（Compact Disc-Read Only Memory）、ＲＯＭ（Read Only Memory）、ＲＡＭ（Random Access Memory）およびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００９０】
提供されるプログラム製品は、ハードディスクなどのプログラム格納部にインストールされて実行される。なお、プログラム製品は、プログラム自体と、プログラムが記録された記録媒体とを含む。
【００９１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００９２】
【図１】第１の実施の形態にかかる遠隔監視システムの構成の具体例を示す図である。
【図２】センサ１の機能構成の具体例を示すブロック図である。
【図３】メール通知器２のハードウェア構成の具体例を示すブロック図である。
【図４】メール通知器２の機能構成を示すブロック図である。
【図５】管理システム７のハードウェア構成の具体例を示すブロック図である。
【図６】管理システム７の機能構成を示すブロック図である。
【図７】遠隔監視システムでの処理の流れを説明するフローチャートである。
【図８】メール通知器２における処理を説明するフローチャートである。
【図９】ステップＳ１０５で作成されるメールに添付されるセンシングデータの具体例を示す図である。
【図１０】管理システム７における処理を説明するフローチャートである。
【図１１】ステップＳ２０３で取得されたメールの具体例を示す図である。
【図１２】ステップＳ２０７で作成されるセンシングデータグラフの具体例を示す図である。
【図１３】ステップＳ２１３で管理システム７から送信されて携帯端末９に表示されるメールの具体例を示す図である。
【図１４】携帯端末９に表示されるセンシングデータグラフの具体例を示す図である。
【図１５】第２の実施の形態にかかる遠隔制御システムの構成の具体例を示す図である。
【図１６】データ変換器２の機能構成を示すブロック図である。
【符号の説明】
【００９３】
１  センサ、２  メール通知器，データ変換器、３  通信機、４  メールサーバ、５  ＷＥＢサーバ、６  社内メールサーバ、７  管理システム、８  社内端末、９  携帯端末、２０  イベント検出部、２１  メール通知器の制御部、２２  プログラム記憶部、２３  メール通知器のセンシングデータ記憶部、２４  アドレス記憶部、２５  センシングデータ取得部、２６  メール通知器のメール作成部、２７  メール通知器のメール出力部、２８  制御信号取得部、２９  設定部、７１  管理システムの制御部、７２  プログラム／アドレス記憶部、７３  管理システムのセンシングデータ記憶部、７４  メールデータ取得部、７５  異常判定部、７６  グラフ出力部、７７  グラフ作成部、７８  管理システムのメール出力部、７９  管理システムのメール作成部、１０１  共振部、１０２  変換部、１０３  位相比較部、１０４  センサの制御部、１０５  可変周波数発生部、１０６  駆動部、１０７  検出部、１０８  状態判断部、１０９  標準設定部、１１１  出力部、２０１  メール通知器のＣＰＵ、２０２  ＲＴＣ、２０３  発振器、２０４  ＥＥＰ−ＲＯＭ、２０５  Ｆｌａｓｈ−ＲＯＭ、２０６  ＳＤ−ＲＡＭ、２０７  Ｓ−ＲＡＭ、２０８  バッテリ、２０９  無電圧接点入力部、２１０  アナログ入力部、２１１  シリアル通信部、２１２  電源部、７０１  管理システムのＣＰＵ、７０２  ＨＤＤ、７０３  ＲＡＭ、７０４  ＲＯＭ、７０５  通信Ｉ／Ｆ、７０６  表示装置、７０７  入力装置。
【図１】
2005215731.tif 000003
【図２】
2005215731.tif 000004
【図３】
2005215731.tif 000005
【図４】
2005215731.tif 000006
【図５】
2005215731.tif 000007
【図６】
2005215731.tif 000008
【図７】
2005215731.tif 000009
【図８】
2005215731.tif 000010
【図９】
2005215731.tif 000011
【図１０】
2005215731.tif 000012
【図１１】
2005215731.tif 000013
【図１２】
2005215731.tif 000014
【図１３】
2005215731.tif 000015
【図１４】
2005215731.tif 000016
【図１５】
2005215731.tif 000017
【図１６】
2005215731.tif 000018